(57)【要約】【課題】空調効率を改善すること。【解決手段】空調制御装置は、空調機から排出される冷気が二重床構造の床の開口部から流入する施設の温度を取得する取得部と、前記施設の床下において前記冷気の通路を形成するために配置された開閉可能な間仕切りの開閉を、前記取得部によって取得された温度に応じて制御する制御部と、を有する。【選択図】図８
2018091590.tif 000002
【特許請求の範囲】
【請求項１】
空調機から排出される冷気が二重床構造の床の開口部から流入する施設の温度を取得する取得部と、
前記施設の床下において前記冷気の通路を形成するために配置された開閉可能な間仕切りの開閉を、前記取得部によって取得された温度に応じて制御する制御部と、
を有することを特徴とする空調制御装置。
【請求項２】
前記施設内は、コールドアイルとホットアイルとを含み、
前記取得部は、前記コールドアイルの温度を取得する、
ことを特徴とする請求項１記載の空調制御装置。
【請求項３】
前記間仕切りは、閉じた状態において、ロール状に収納される、
ことを特徴とする請求項１又は２記載の空調制御装置。
【請求項４】
前記開口部は、開閉可能であり、
前記制御部は、前記間仕切りの開閉と連動して前記開口部の開閉を制御する、
ことを特徴とする請求項１乃至３いずれか一項記載の空調制御装置。
【請求項５】
前記開口部には送風機が設置され、
前記制御部は、前記間仕切りの開閉と連動して前記送風機の動作を制御する、
ことを特徴とする請求項１乃至４いずれか一項記載の空調制御装置。
【請求項６】
空調機から排出される冷気が二重床構造の床の開口部から流入する施設の温度を取得する取得手順と、
前記施設の床下において前記冷気の通路を形成するために配置された開閉可能な間仕切りの開閉を、前記取得手順において取得された温度に応じて制御する制御手順と、
をコンピュータが実行することを特徴とする空調制御方法。
【発明の詳細な説明】
【技術分野】
【０００１】
本発明は、空調制御装置及び空調制御方法に関する。
【背景技術】
【０００２】
データセンタや通信機械室で消費される電力において、空調を起因とする割合は多い。したがって、空調効率を改善することで、データセンタ等における電力消費の削減効果を期待することができる。
【０００３】
空調効率の向上のため、データセンタ等では様々な冷却方式が検討及び導入されている。そのひとつに、図１に示されるように、床下を二重床構造とし、空調機から排出された冷気が床下を通って屋内に流入し、ＩＣＴ装置が配置されているキャビネット（架）を冷やす、という方式がある。
【０００４】
また、データセンタの標準規格であるＴＩＡ−９４２では、図２に示されるように、キャビネットの列の間の通路をホットアイル（暖気通路）とコールドアイル（冷気通路）とに分けることが推奨されている（非特許文献１参照）。なお、図２は、データセンタを上から見た図を示す。
【０００５】
新に、ホットアイルとコールドアイルをさらに明確に分けるため、アイルキャッピングという技術もある（非特許文献２）。
【先行技術文献】
【非特許文献】
【０００６】
【非特許文献１】「垂直排気システムによるエネルギー効率化および持続性の確立」、PANDUIT Corp.、［online］、インターネット＜http://www.panduit.com/ccurl/322/372/WW-CPWP-09-JPN.pdf＞
【非特許文献２】「ＩＣＴ装置用気流制御システム『アイルキャッピング』」、ＮＴＴファシリティーズ、［online］、インターネット＜http://www.ntt-f.co.jp/service/data_center/aco_aislecapping/＞
【発明の概要】
【発明が解決しようとする課題】
【０００７】
しかしながら、従来技術においては、冷やす必要性が低いホットアイルの下も冷気が通っており、空調効率の観点において、改善の余地があると考えられる。
【０００８】
本発明は、上記の点に鑑みてなされたものであって、空調効率を改善することを目的とする。
【課題を解決するための手段】
【０００９】
そこで上記課題を解決するため、空調制御装置は、空調機から排出される冷気が二重床構造の床の開口部から流入する施設の温度を取得する取得部と、前記施設の床下において前記冷気の通路を形成するために配置された開閉可能な間仕切りの開閉を、前記取得部によって取得された温度に応じて制御する制御部と、を有する。
【発明の効果】
【００１０】
空調効率を改善することができる。
【図面の簡単な説明】
【００１１】
【図１】二重床構造を利用した空調の例を示す図である。
【図２】コールドアイル及びホットアイルを説明するための図である。
【図３】第１の実施の形態におけるデータセンタのレイアウトの一例を説明するための図である。
【図４】各間仕切りの配設例を示す図である。
【図５】間仕切りの収納状態の一例を示す図である。
【図６】第１の実施の形態における空調制御システム１の構成例を示す図である。
【図７】第１の実施の形態における空調制御装置１０のハードウェア構成例を示す図である。
【図８】第１の実施の形態における空調制御装置１０の機能構成例を示す図である。
【図９】空調制御装置１０が実行する処理手順の一例を説明するためのフローチャートである。
【図１０】温度分布の表示例を示す図である。
【図１１】間仕切りが開かれた状態を示す図である。
【図１２】第２の実施の形態における開口部を説明するための図である。
【図１３】第３の実施の形態における開口部を説明するための図である。
【発明を実施するための形態】
【００１２】
以下、図面に基づいて第１の実施の形態を説明する。図３は、第１の実施の形態におけるデータセンタのレイアウトの一例を説明するための図である。図３に示されるように、データセンタＲ１には、複数の架列（キャビネットの列）ｃＡ１〜ｃＡ４（以下、区別しない場合「架列ｃＡ」という。）、並びに空調機ａ１及びａ２（以下、区別しない場合「空調機ａ」という。）が配置されている。
【００１３】
各架列ｃＡを構成する架（キャビネット）には、例えば、コンピュータ又は通信装置等のＩＣＴ機器が配置されている。
【００１４】
空調機ａは、データセンタＲ１の温度が適温となるように、冷気を排出する機器である。データセンタＲ１の床下は、二重床構造となっており、各空調機ａは、床下に冷気を排出する。排出された冷気は、データセンタＲ１の床に設けられた冷気排出口としての開口部ｈ１又はｈ２（以下、区別しない場合「開口部ｈ」という。）からデータセンタＲ１の床上（屋内）に流入する。図３では、架列ｃＡ１と架列ｃＡ２との間の通路に開口部ｈ１が設けられ、架列ｃＡ３と架列ｃＡ４との間の通路に開口部ｈ２が設けられた例が示されている。各架列ｃＡの配置位置と、各開口部ｈ１の配置位置との位置関係によって、データセンタＲ１の通路は、コールドアイル又はホットアイルに区別される。なお、アイルキャッピングがデータセンタＲ１に適用されてもよい。
【００１５】
なお、図３において、各架列ｃＡ、コールドアイル及びホットアイルが破線によって示されているのは、図３が、データセンタＲ１の床下の状態を示すからである。但し、各空調機ａは、床上又は床下のいずれに配置されていてもよい。
【００１６】
床下には、空調機ａからの冷気の通路を形成するために間仕切りｐ１１、ｐ１２及びｐ１３（以下、区別しない場合「間仕切りｐ１」という。）と、間仕切りｐ２１、ｐ２２及びｐ２３（以下、区別しない場合「間仕切りｐ２」という。）とが設置される。各間仕切りｐ１は、空調機ａ１に対応した間仕切りである。各間仕切りｐ２は、空調機ａ２に対応した間仕切りである。各間仕切りｐ１と各間仕切りｐ２とを区別しない場合、「間仕切りｐ」という。
【００１７】
なお、間仕切りｐ１１、ｐ１４、ｐ２１及びｐ２４は、ホットアイルとコールドアイルを区分するように、コールドアイルの架列に沿って設置されるのが望ましい。
【００１８】
図４は、各間仕切りの配設例を示す図である。図４には、図３における白抜きの矢印ｄ１の方向から床下を見た場合の、各間仕切りｐ１の配列例が示されている。
【００１９】
図４に示されるように、各間仕切りｐ１は、二重床の上床から下床までを仕切ることができる。その結果、空調機ａ１から排出される冷気の通路（流れ）は、空間ｓ１に制限される。換言すれば、間仕切りｐ１により、冷気の通路（流れ）は、より狭い空間に制限される。すなわち、コールドアイルまでダイレクトに冷気が伝わるように、空調機ａ１の冷気排出口から開口部ｈ１までが間仕切りで囲われる。その結果、開口部ｈ１から床上に流入する冷気の温度の低下幅を小さくすることができる。
【００２０】
なお、図４では、間仕切りｐ１１及び間仕切りｐ１４について、上床ｆ１及び下床ｆ２との間に隙間が有り、間仕切りｐ１２又は間仕切りｐ１３との間に隙間が有るように示されている。これは、間仕切りｐ１１及びｐ１４の配置位置を分かりやすく示したためであり、隙間の存在の有無について限定する意図ではない。また、図４において説明した事項は、間仕切りｐ２についても同様に当てはまる。
【００２１】
本実施の形態において、各間仕切りｐは、開閉可能（開閉自在）である。本実施の形態において、間仕切りｐが開いた状態とは、間仕切りｐが機能している状態（すなわち、間仕切りｐによって床下が仕切られている状態）をいう。間仕切りｐが閉じた状態とは、間仕切りｐが機能していない状態（すなわち、間仕切りｐによって床下が仕切られていない状態）をいう。各間仕切りｐが閉じた状態において、各間仕切りｐは、例えば、図５に示されるように収納される。
【００２２】
図５は、間仕切りの収納状態の一例を示す図である。図５には、間仕切りｐ１１が示されている。なお、図５に示されるように、間仕切りｐ１１は、複数（図５では３つ）に分割されていてもよい。
【００２３】
図５に示されるように、間仕切りｐ１１は、ロール状に収納可能である。すなわち、図５では、間仕切りｐ１１が、ロールカーテン状の形態を有する例が示されている。このよう形態が採用される場合、間仕切りｐ１１は、上床の床下側の面に固定されてもよい。図５では、間仕切りｐ１１が閉じた状態が示されているが、間仕切りｐ１１は、両矢印の方向（すなわち、垂直方向）に開閉する。但し、間仕切りｐ１１は、水平方向に開閉するように設置されてもよい。または、各間仕切りｐは、カーテン状に配設されてもよいし、ブラインド状の構造を有していてもよい。すなわち、各間仕切りｐ１１は、開閉可能であれば、他の形状又は構造を有していてもよい。
【００２４】
なお、図５において説明した事項は、他の間仕切りｐについても同様に当てはまる。
【００２５】
なお、間仕切りｐは、冷気の漏れや風量の変動を防ぐため、空調機ａの風量に負けない程度の固さ又は重さを有し、不燃性の材質であることが望ましい。また、間仕切りｐは、静電気の貯まりにくい、例えば、導電性ゴムのような導電性を有する材質であることが望ましい。又は、定期的に自動で作動する除電ブラシが設置されてもよい。
【００２６】
上記のように開閉可能な間仕切りｐを自動的に開閉するため、本実施の形態では、空調制御システム１が利用される。
【００２７】
図６は、第１の実施の形態における空調制御システム１の構成例を示す図である。図６において、空調制御システム１は、複数の温度計４０、空調制御装置１０、表示装置５０、開閉制御装置２０、及び複数の駆動装置３０等を含む。
【００２８】
各温度計４０は、データセンタＲ１内の温度を計測する。例えば、各温度計４０は、各架（ラック）の下部において、当該架に最も近い開口部ｈの方向に設置されてもよい。そうすることで、各温度計は、コールドアイルの温度を計測することができる。図３に示されるように、データセンタＲ１は、４つの架列ｃＡを含む。また、各架列ｃＡは３つの架を含む。したがって、１２個の温度計４０が設置される。なお、架に配置されているＩＣＴ機器が温度計を備えていれば、当該温度計が利用されてもよい。
【００２９】
空調制御装置１０は、各温度計４０によって計測された温度に基づいて、各間仕切りｐの開閉の要否の判定を行うコンピュータである。空調制御装置１０は、開閉のいずれかを行うと判定した際、開閉を示す制御信号（制御命令）を開閉制御装置２０へ送信する。
【００３０】
表示装置５０は、データセンタＲ１における温度分布を表示する装置である。例えば、空調制御装置１０にネットワークを介して接続されるＰＣ（Personal Computer）等が、表示装置５０として利用されてもよい。
【００３１】
開閉制御装置２０は、空調制御装置１０からの制御信号に応じ、各間仕切りｐに対応する駆動装置３０へ、開閉の制御信号を送信する。なお、空調制御装置１０が開閉制御装置２０を含んでもよい。
【００３２】
各駆動装置３０は、各間仕切りｐを駆動して、間仕切りｐの開閉を行う装置である。例えば、間仕切りｐが、図５に示されるようなロールカーテン状である場合、駆動装置３０は、間仕切りｐが巻き付く棒を回転させることで、間仕切りｐの開閉を行う。
【００３３】
図７は、第１の実施の形態における空調制御装置１０のハードウェア構成例を示す図である。図７の空調制御装置１０は、それぞれバスＢで相互に接続されているドライブ装置１００、補助記憶装置１０２、メモリ装置１０３、ＣＰＵ１０４、及びインタフェース装置１０５等を有する。
【００３４】
空調制御装置１０での処理を実現するプログラムは、ＣＤ−ＲＯＭ等の記録媒体１０１によって提供される。プログラムを記憶した記録媒体１０１がドライブ装置１００にセットされると、プログラムが記録媒体１０１からドライブ装置１００を介して補助記憶装置１０２にインストールされる。但し、プログラムのインストールは必ずしも記録媒体１０１より行う必要はなく、ネットワークを介して他のコンピュータよりダウンロードするようにしてもよい。補助記憶装置１０２は、インストールされたプログラムを格納すると共に、必要なファイルやデータ等を格納する。
【００３５】
メモリ装置１０３は、プログラムの起動指示があった場合に、補助記憶装置１０２からプログラムを読み出して格納する。ＣＰＵ１０４は、メモリ装置１０３に格納されたプログラムに従って空調制御装置１０に係る機能を実行する。インタフェース装置１０５は、ネットワークに接続するためのインタフェースとして用いられる。
【００３６】
図８は、第１の実施の形態における空調制御装置１０の機能構成例を示す図である。図８において、空調制御装置１０は、収集部１１、判定部１２及び表示制御部１３等を有する。これら各部は、空調制御装置１０にインストールされた１以上のプログラムが、ＣＰＵ１０４に実行させる処理により実現される。空調制御装置１０は、また、閾値ＤＢ１４及び対応ＤＢ１５等を利用する。これら各データベースは、例えば、補助記憶装置１０２、又は空調制御装置１０にネットワークを介して接続可能な記憶装置等を用いて実現可能である。
【００３７】
収集部１１は、各温度計４０によって計測された温度を収集する。判定部１２は、収集された温度と、閾値ＤＢ１４に記憶された閾値とを比較することで、間仕切りｐの開閉の要否の判定を行う。開閉の要否の判定は、間仕切りｐ１及び間仕切りｐ２のそれぞれについて行われる。すなわち、空調機ａごとに、当該空調機ａに対応する間仕切りｐの開閉の要否が判定される。開閉が必要であると判定されば場合、判定部１２は、開閉を示す制御信号を開閉制御装置２０へ送信する。判定部１２は、また、収集された温度と閾値との比較結果を表示制御部１３に出力する。
【００３８】
表示制御部１３は、判定部１２による比較結果に基づいて、データセンタＲ１における温度分布を表示装置５０へ表示する。対応ＤＢ１５には、空調機ａと、各間仕切りｐと、各温度計４０との対応関係を示す情報が記憶されている。具体的には、対応ＤＢ１５には、空調機ａ１の識別情報（以下、「空調機ＩＤ」という。）と、各間仕切りｐ１の識別情報（以下、「間仕切りＩＤ」という。）と、架列ｃＡ１又はｃＡ２のそれぞれの架に設置された温度計４０の識別情報（以下、「温度計ＩＤ」という。）とが対応付けられて記憶されている。同様に、対応ＤＢ１５には、空調機ａ２の空調機ＩＤと、各間仕切りｐ２の間仕切りＩＤと、架列ｃＡ３又はｃＡ４のそれぞれの架に設置された温度計４０の温度計ＩＤとが対応付けられて記憶されている。
【００３９】
以下、空調制御装置１０が実行する処理手順について説明する。図９は、空調制御装置１０が実行する処理手順の一例を説明するためのフローチャートである。
【００４０】
ステップＳ１０１において、収集部１１は、各温度計４０から温度計ＩＤ及び計測された温度を取得する。続いて、判定部１２は、閾値ＤＢ１４に記憶されている閾値に基づいて、各温度を「高」、「中」、「低」のいずれかに分類する（Ｓ１０２）。「高」は、Ｔｈ１以上の温度の範囲である。「中」は、Ｔｈ１未満Ｔｈ２以上の温度の範囲である。「低」は、Ｔｈ２未満の温度の範囲である。すなわち、閾値ＤＢ１４には、Ｔｈ１及びＴｈ２が記憶されている。なお、分類の仕方は一例に過ぎない。例えば、更に分類が細分化されてもよい。
【００４１】
続いて、表示制御部１３は、各温度の分類結果に基づく温度分布を表示装置５０に表示する（Ｓ１０３）。
【００４２】
図１０は、温度分布の表示例を示す図である。図１０では、各架が、当該架に設置された温度計４０によって計測された温度の分類結果（「高」、「中」、「低」）ごとに色分けされる例が示されている。ユーザは、このような画面を参照することで、温度状態が正常に保たれているか否かを確認することができる。
【００４３】
続いて実行されるステップＳ１０４とＳ１０９との間の各ステップは、空調機ａごとに実行される。以下、処理対象の空調機ａを、「対象空調機ａ」という。
【００４４】
ステップＳ１０５において、対象空調機ａに対応する温度計４０によって計測された温度のうちのいずれかが「高」に分類されたか否かを判定する（Ｓ１０５）。対象空調機ａに対応する温度計４０は、対象空調機ａの空調機ＩＤに対応付けられて対応ＤＢ１５に記憶されている温度計ＩＤに基づいて特定可能である。
【００４５】
当該温度のいずれかが「高」に分類された場合（Ｓ１０５でＹｅｓ）、判定部１２は、対象空調機ａに対応する間仕切りｐを開くことを示す制御信号を開閉制御装置２０へ送信する（Ｓ１０６）。例えば、空調機ａ１が対象空調機ａであれば、間仕切りｐ１を開くことを示す制御信号が送信される。なお、対象空調機ａに対応する間仕切りｐは、対象空調機ａの空調機ＩＤに対応付けられて対応ＤＢ１５に記憶されている間仕切りＩＤに基づいて特定可能である。
【００４６】
判定部１２からの制御信号に応じ、開閉制御装置２０は、制御対象とされた間仕切りｐに対応する駆動装置３０に対し、開くことを示す制御信号を送信する。その結果、間仕切りｐが開く。
【００４７】
図１１は、間仕切りが開かれた状態を示す図である。図１１では、空調機ａ１に対応する間仕切りｐ１が開かれた状態が示されている。間仕切りｐ１が開かれることで、空調機ａ１からの冷気は、開口部ｈ１に対して集中的に流れる。一方、対応する間仕切りｐ２が開かれていない空調機ａ２からの冷気は、床下において拡散する。
【００４８】
一方、対象空調機ａに対応する全ての温度計４０によって計測された温度が「低」に分類された場合（Ｓ１０５でＮｏ、かつ、Ｓ１０７でＹｅｓ）、判定部１２は、対象空調機ａに対応する間仕切りｐを閉じることを示す制御信号を開閉制御装置２０へ送信する（Ｓ１０８）。判定部１２からの制御信号に応じ、開閉制御装置２０は、制御対象とされた間仕切りｐに対応する駆動装置３０に対し、閉じることを示す制御信号を送信する。その結果、間仕切りｐが閉じる。
【００４９】
ステップＳ１０４とＳ１０９との間の各ステップが、各空調機ａについて実行されると、判定部１２は、一定時間待機した後（Ｓ１１０）、ステップＳ１０１以降を繰り返す。
【００５０】
なお、開閉制御装置２０は、各間仕切りｐの開閉状態を管理していてもよい。既に開いている状態の間仕切りｐに対して、開くことを示す制御信号が受信された場合、開閉制御装置２０は、当該制御信号を無視してもよい。又は、当該開閉状態は、空調制御装置１０によって管理されていてもよい。
【００５１】
なお、開閉の要否の判断基準は、上記したものに限られない。例えば、対応空調機ａに対応する温度計４０によって計測された温度の平均値が利用されてもよいし、その他の方法で要否が判定されてもよい。
【００５２】
上述したように、第１の形態によれば、空調機ａから開口部ｈまでの冷気の通り道を間仕切りａで囲うことにより、冷気がダイレクトにコールドアイルまで届くようになる。したがって、床下においてもコールドアイル、ホットアイルが区別された状態を発生させることができる。その結果、データセンタ等の施設における空調効率を改善することができる。
【００５３】
また、空調制御装置１０により、フロア全体の冷却要求量を把握することができる。また、空調制御装置１０と開閉制御装置２０との連携により、効率的な間仕切りの運用が可能となる。
【００５４】
また、間仕切りｐが開閉可能なことで、例えば、ケーブル等の敷設の際に間仕切りｐが邪魔になるのを回避することができる。すなわち、床下に電源ケーブルやネットワークケーブルを置く場合や、ＩＣＴ機器の新設や入れ替えの際には、床板を開けて床下（二重床内の空間）にケーブルを敷設する必要がある。この際、間仕切りｐが開いていては敷設作業の邪魔になってしまうため、必要が無いときには間仕切りｐが閉じられているのが望ましい。また、間仕切りｐが開閉可能なことで、間仕切りｐへの埃の付着等も回避することができる。
【００５５】
なお、上記においては、空調機ａに対応する単位で間仕切りｐの開閉が制御される例について説明したが、例えば、空調機ａに対応する間仕切りｐのうちの一部のみが開閉されるようにしてもよい。例えば、温度の分類が更に細分化されて、「高」が、温度の高い順に「高１」、「高２」、「高３」に分類される場合、「高１」であれば、空調機ａに対応する全ての間仕切りｐが開かれるが、「高２」の場合は、一の間仕切りｐは閉じたままとされ、「高３」の場合は、閉じたままの間仕切りｐが更に増やされるようにしてもよい。
【００５６】
次に、第２の実施の形態について説明する。第２の実施の形態では第１の実施の形態と異なる点について説明する。第２の実施の形態において特に言及されない点については、第１の実施の形態と同様でもよい。
【００５７】
図１２は、第２の実施の形態における開口部を説明するための図である。図１２に示されるように、第２の実施の形態では、開口部ｈが開閉可能とされる。図１２では、開口部ｈにブラインドｂが付設された例が示されている。
【００５８】
ブラインドｂは、間仕切りｐに連動して開閉する。すなわち、ブラインドｂは、当該開口部ｈ側の空調機ａに対応する間仕切りｐが開く際に開き、当該間仕切りｐが閉じる際に閉じる。ブラインドｂの制御は、開閉制御装置２０によって行われてもよい。例えば、開閉制御装置２０は、間仕切りｐを開くことを示す制御命令を受信した場合に、当該間仕切りｐに対応する開口部ｈのブラインドｂを開き、間仕切りｐを閉じることを示す制御命令を受信した場合に、当該間仕切りｐに対応する開口部ｈのブラインドｂを閉じるようにしてもよい。
【００５９】
なお、図１２において、白抜きの矢印ｒ１〜ｒ３は、ブラインドｂが開いている状態における冷気の経路を示す。また、矢印ｗ１及びｗ２は、ブラインドｂの開閉の方向を示す。
【００６０】
上述したように、第２の実施の形態によれば、間仕切りｐが閉じられる場合には、ブラインドが閉じられて、床下からの冷気の放出が抑制される。その結果、空調機ａの稼動量を削減することができ、電力消費を抑えることができる。
【００６１】
次に、第３の実施の形態について説明する。第３の実施の形態では第２の実施の形態と異なる点について説明する。第３の実施の形態において特に言及されない点については、第２の実施の形態と同様でもよい。
【００６２】
図１３は、第３の実施の形態における開口部を説明するための図である。図１３中、図１２と同一部分には同一符号を付し、その説明は省略する。
【００６３】
図１３に示されるように、第３の実施の形態では、ブラインドｂの下に送風機（ファン）ｇが設置される。
【００６４】
送風機ｇは、間仕切りｐ及びブラインドｂに連動して稼動する。すなわち、送風機ｇは、当該開口部ｈ側の空調機ａに対応する間仕切りｐが開く際に動作し、当該間仕切りｐが閉じる際に停止する。送風機ｇの制御は、開閉制御装置２０によって行われてもよい。例えば、開閉制御装置２０は、間仕切りｐを開くことを示す制御命令を受信した場合に、当該間仕切りｐに対応する開口部ｈの送付機ｇを動作させ、間仕切りｐを閉じることを示す制御命令を受信した場合に、当該間仕切りｐに対応する開口部ｈの送風機ｇを停止させるようにしてもよい。
【００６５】
上述したように、第３の形態によれば、送風機ｇによって、床下からの冷気の流れを強めることができる。その結果、空調効率を改善することができる。
【００６６】
なお、開口部ｈがブラインドｂ１を有さない構成において、送風機ｇが設置されてもよい。
【００６７】
なお、上記各実施の形態では、データセンタＲ１における空調について説明したが、二重床構造を有する他の施設の空調に関して上記各実施の形態が適用されてもよい。
【００６８】
なお、上記各実施の形態において、収集部１１は、取得部の一例である。判定部１２は、制御部の一例である。
【００６９】
以上、本発明の実施例について詳述したが、本発明は斯かる特定の実施形態に限定されるものではなく、特許請求の範囲に記載された本発明の要旨の範囲内において、種々の変形・変更が可能である。
【符号の説明】
【００７０】
１            空調制御システム
１０          空調制御装置
１１          収集部
１２          判定部
１３          表示制御部
１４          閾値ＤＢ
１５          対応ＤＢ
２０          開閉制御装置
３０          駆動装置
４０          温度計
５０          表示装置
１００        ドライブ装置
１０１        記録媒体
１０２        補助記憶装置
１０３        メモリ装置
１０４        ＣＰＵ
１０５        インタフェース装置
Ｂ            バス
ａ１、ａ２    空調機
ｂ            ブラインド
ｃＡ１、ｃＡ２、ｃＡ３、ｃＡ４  架列
ｇ            送風機
ｐ１１、ｐ１２、ｐ１３、ｐ２１、ｐ２２、ｐ２３  間仕切り
Ｒ１        データセンタ
【図１】
2018091590.tif 000003
【図２】
2018091590.tif 000004
【図３】
2018091590.tif 000005
【図４】
2018091590.tif 000006
【図５】
2018091590.tif 000007
【図６】
2018091590.tif 000008
【図７】
2018091590.tif 000009
【図８】
2018091590.tif 000010
【図９】
2018091590.tif 000011
【図１０】
2018091590.tif 000012
【図１１】
2018091590.tif 000013
【図１２】
2018091590.tif 000014
【図１３】
2018091590.tif 000015